【誤訳訂正書】
【提出日】平成27年8月3日(2015.8.3)
【誤訳訂正１】
【訂正対象書類名】特許請求の範囲
【訂正対象項目名】全文
【訂正方法】変更
【訂正の内容】
【特許請求の範囲】
【請求項１】
隣接動きベクトル予測子候補の少なくとも１つの予測信頼度の値が閾値以上のときに、暗示的適応型動きベクトル予測子選択を使用して画像のブロックを符号化するためのビデオ符号器を備える装置であって、前記ブロックを符号化するための動きベクトルは、複数の空間時間的な隣接動きベクトルに基づいて前記ブロックに対する動きベクトル予測子候補の組を定義し、前記空間時間的な隣接動きベクトルの予測信頼度のそれぞれの値の関数に応じて、前記ブロックを符号化するための前記動きベクトルとして特定の動きベクトル予測子候補を前記組から選択することによって予測される、前記装置。
【請求項２】
ビデオ符号器において、
隣接動きベクトル予測子候補の少なくとも１つの予測信頼度の値が閾値以上のときに、暗示的適応型動きベクトル予測子選択を使用して画像のブロックを符号化するステップを含む方法であって、前記ブロックを符号化するための動きベクトルは、複数の空間時間的な隣接動きベクトルに基づいて前記ブロックに対する動きベクトル予測子候補の組を定義し、前記空間時間的な隣接動きベクトルの予測信頼度のそれぞれの値の関数に応じて、前記ブロックを符号化するための前記動きベクトルとして特定の動きベクトル予測子候補を前記組から選択することによって予測される、前記方法。
【請求項３】
前記予測信頼度は、前記符号器および対応する復号器の両方で利用可能な、動き補償誤差、動きベクトルの大きさ、および参照インデックスのうちの少なくとも１つの関数である、請求項２に記載の方法。
【請求項４】
前記ブロックを符号化するための前記動きベクトルとして選択された前記特定の動きベクトル予測子候補は、前記組の中の前記動きベクトル予測子候補の中で最も高い予測信頼度を有する、請求項２に記載の方法。
【請求項５】
前記空間時間的な隣接動きベクトルの前記予測信頼度の前記それぞれの値は、加重中央値フィルタが、前記ブロックを符号化するための前記動きベクトルとして選択された前記特定の動きベクトル予測子候補を導出するために使用される、請求項２に記載の方法。
【請求項６】
前記暗示的適応型動きベクトル予測子選択は、ハイブリッドシナリオにおいて、動きベクトル予測子の明示的なシグナリングと組み合わされる、請求項２に記載の方法。
【請求項７】
前記ブロックに対して前記暗示的適応型動きベクトル予測子選択を使用するか、動きベクトル予測子の前記明示的なシグナリングを使用するかの決定は、予測信頼度値の評価に応じて判定される、請求項６に記載の方法。
【請求項８】
隣接動きベクトル予測子候補の少なくとも１つの予測信頼度の値が閾値以上のときに、暗示的適応型動きベクトル予測子選択を使用して画像のブロックを復号するためのビデオ復号器を備える装置であって、前記ブロックを復号するための動きベクトルは、複数の空間時間的な隣接動きベクトルに基づいて前記ブロックに対する動きベクトル予測子候補の組を定義し、前記空間時間的な隣接動きベクトルの予測信頼度のそれぞれの値の関数に応じて、前記ブロックを復号するための前記動きベクトルとして特定の動きベクトル予測子候補を前記組から選択することによって予測される、前記装置。
【請求項９】
ビデオ復号器において、
隣接動きベクトル予測子候補の少なくとも１つの予測信頼度の値が閾値以上のときに、暗示的適応型動きベクトル予測子選択を使用して画像のブロックを復号するステップを含む方法であって、前記ブロックを復号するための動きベクトルは、複数の空間時間的な隣接動きベクトルに基づいて前記ブロックに対する動きベクトル予測子候補の組を定義し、前記空間時間的な隣接動きベクトルの予測信頼度のそれぞれの値の関数に応じて、前記ブロックを復号するための前記動きベクトルとして特定の動きベクトル予測子候補を前記組から選択することによって予測される、前記方法。
【請求項１０】
前記予測信頼度は、前記復号器および対応する符号器の両方で利用可能な、動き補償誤差、動きベクトルの大きさ、および参照インデックスのうちの少なくとも１つの関数である、請求項９に記載の方法。
【請求項１１】
前記ブロックを復号するための前記動きベクトルとして選択された前記特定の動きベクトル予測子候補は、前記組の中の前記動きベクトル予測子候補の中で最も高い予測信頼度を有する、請求項９に記載の方法。
【請求項１２】
前記空間時間的な隣接動きベクトルの前記予測信頼度の前記それぞれの値は、加重中央値フィルタが、前記ブロックを復号するための前記動きベクトルとして選択された前記特定の動きベクトル予測子候補を導出するために使用される、請求項９に記載の方法。
【請求項１３】
前記暗示的適応型動きベクトル予測子選択は、ハイブリッドシナリオにおいて、動きベクトル予測子の明示的なシグナリングと組み合わされる、請求項９に記載の方法。
【請求項１４】
前記ブロックに対して前記暗示的適応型動きベクトル予測子選択を使用するか、動きベクトル予測子の前記明示的なシグナリングを使用するかの決定は、予測信頼度値の評価に応じて判定される、請求項１３に記載の方法。
【請求項１５】
動きベクトル予測子の前記明示的なシグナリングは、スライスレベルで使用され、前記ブロックに対して前記暗示的適応型動きベクトル予測子選択を使用するか、動きベクトル予測子の前記明示的なシグナリングを使用するかの決定は、ブロックレベルで行われる、請求項１３に記載の方法。
【誤訳訂正２】
【訂正対象書類名】明細書
【訂正対象項目名】発明の名称
【訂正方法】変更
【訂正の内容】
【発明の名称】ビデオ符号化およびビデオ復号化のための暗示的適応型動きベクトル予測子選択の方法および装置
【誤訳訂正３】
【訂正対象書類名】明細書
【訂正対象項目名】０００１
【訂正方法】変更
【訂正の内容】
【０００１】
本原理は一般に、ビデオ符号化およびビデオ復号化に関し、より詳細には、ビデオ符号化およびビデオ復号化のための暗示的適応型の動きベクトル予測子の選択（以下、暗示的適応型動きベクトル予測子選択）の方法および装置に関する。
【誤訳訂正４】
【訂正対象書類名】明細書
【訂正対象項目名】０００４
【訂正方法】変更
【訂正の内容】
【０００４】
最新のビデオ符号化標準、すなわち、Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ／Ｉｎｔｅｒｎａｔｉｏｎａｌ  Ｅｌｅｃｔｒｏｔｅｃｈｎｉｃａｌ  Ｃｏｍｍｉｓｓｉｏｎ  （ＩＳＯ／ＩＥＣ）  Ｍｏｖｉｎｇ  Ｐｉｃｔｕｒｅ  Ｅｘｐｅｒｔｓ  Ｇｒｏｕｐ−４  （ＭＰＥＧ−４）  Ｐａｒｔ  １０  Ａｄｖａｎｃｅｄ  Ｖｉｄｅｏ  Ｃｏｄｉｎｇ  （ＡＶＣ）  Ｓｔａｎｄａｒｄ／Ｉｎｔｅｒｎａｔｉｏｎａｌ  Ｔｅｌｅｃｏｍｍｕｎｉｃａｔｉｏｎ  Ｕｎｉｏｎ、Ｔｅｌｅｃｏｍｍｕｎｉｃａｔｉｏｎ  Ｓｅｃｔｏｒ  （ＩＴＵ−Ｔ）  Ｈ．２６４勧告（以下、「ＭＰＥＧ−４  ＡＶＣ標準」）では、動きベクトルは、その空間因果的な隣接動きベクトルの中央値によって予測される。動き場が比較的平滑であり、隣接動きベクトルが高い忠実度を有するとき、この手法は非常に簡単で効果的である。しかし、動き場が複雑になる傾向があるとき、この手法は、隣接動きベクトルの中央値を選択することだけでは、うまく機能しない場合がある。さらに、現在の符号化ブロックの周りに、多くの低忠実度の動きベクトルがある可能性がある。これらの要因は、動きベクトル予測子の品質の低下を引き起こす場合がある。
【誤訳訂正５】
【訂正対象書類名】明細書
【訂正対象項目名】０００５
【訂正方法】変更
【訂正の内容】
【０００５】
動きベクトル競合（ＭＶＣｏｍｐ）として知られている技法は、第１の従来技術の手法において説明される。ＭＶＣｏｍｐでは、動きベクトル予測子選択の手順は、符号化ブロックのレート歪み最適化の中に組み込まれる。結果として生じる出力として、ＭＶＣｏｍｐは、最良の動きベクトル予測子インデックスを復号器に明示的に送信する（または別の方法で伝える、例えば、媒体上に埋め込まれる）。ＭＶＣｏｍｐでは、符号化ブロックは、１組の動きベクトル予測子を有する。最良の動きベクトル予測子は、レート歪み（ＲＤ）最適化に基づいて選択される。組が１より多い候補を有する場合、その組の中の動きベクトル予測子のインデックスは、復号器に明示的に送信される。動きベクトル予測子のそれぞれがチェックされ、他の動きベクトル予測子と比較されるので、このプロセスは非常に最適化される。組は、空間因果的で時間因果的な隣接ブロックに由来する動きベクトルを含むことができる。１組の動きベクトル予測子を考慮すると、この手法は、レート歪みという意味において、その組の中の最良の予測子を見つけることもできる。しかし、このことは、それぞれの予測子をそれぞれの符号化ブロックについてのモード決定ループに引き込むので、符号器における複雑性が非常に大きい。別の短所はオーバーヘッド（例えば、組の中の動きベクトル予測子のインデックス）であり、特に低ビットレート用途の場合に、この手法を費用がかかる非効率的なものにする可能性がある。
【誤訳訂正６】
【訂正対象書類名】明細書
【訂正対象項目名】０００６
【訂正方法】変更
【訂正の内容】
【０００６】
従来技術のこれらおよび他の欠点および不利点は本原理によって対処され、本原理はビデオ符号化およびビデオ復号化のための暗示的適応型動きベクトル予測子選択の方法および装置を対象とする。
【誤訳訂正７】
【訂正対象書類名】明細書
【訂正対象項目名】０００７
【訂正方法】変更
【訂正の内容】
【０００７】
本原理のある態様によれば、装置が提供される。この装置は、暗示的適応型動きベクトル予測子選択を使用して、ピクチャ内の少なくとも１つのブロックを符号化するためのビデオ符号器を含む。ブロックを符号化するための動きベクトルは、複数の空間時間的な隣接動きベクトルに基づいて、ブロックに対して１組の動きベクトル予測子候補を定義し、空間時間的な隣接動きベクトルの忠実度のそれぞれの値に応じて、ブロックを符号化するための動きベクトルとして、特定の動きベクトル予測子候補をその組から選択することによって予測される。
【誤訳訂正８】
【訂正対象書類名】明細書
【訂正対象項目名】０００８
【訂正方法】変更
【訂正の内容】
【０００８】
本原理の別の態様によれば、ビデオ符号器における方法が提供される。この方法は、暗示的適応型動きベクトル予測子選択を使用して、ピクチャ内の少なくとも１つのブロックを符号化するステップを含む。ブロックを符号化するための動きベクトルは、複数の空間時間的な隣接動きベクトルに基づいて、ブロックに対して１組の動きベクトル予測子候補を定義し、空間時間的な隣接動きベクトルの忠実度のそれぞれの値に応じて、ブロックを符号化するための動きベクトルとして、特定の動きベクトル予測子候補をその組から選択することによって予測される。
【誤訳訂正９】
【訂正対象書類名】明細書
【訂正対象項目名】０００９
【訂正方法】変更
【訂正の内容】
【０００９】
本原理のさらに別の態様によれば、装置が提供される。この装置は、暗示的適応型動きベクトル予測子選択を使用して、ピクチャ内の少なくとも１つのブロックを復号するためのビデオ復号器を含む。ブロックを復号するための動きベクトルは、複数の空間時間的な隣接動きベクトルに基づいて、ブロックに対して１組の動きベクトル予測子候補を定義し、空間時間的な隣接動きベクトルの忠実度のそれぞれの値に応じて、ブロックを復号するための動きベクトルとして、特定の動きベクトル予測子候補をその組から選択することによって予測される。
【誤訳訂正１０】
【訂正対象書類名】明細書
【訂正対象項目名】００１０
【訂正方法】変更
【訂正の内容】
【００１０】
本原理のさらにまた別の態様によれば、ビデオ復号器における方法が提供される。この方法は、暗示的適応型動きベクトル予測子選択を使用して、ピクチャ内の少なくとも１つのブロックを復号するステップを含む。ブロックを復号するための動きベクトルは、複数の空間時間的な隣接動きベクトルに基づいて、ブロックに対して１組の動きベクトル予測子候補を定義し、空間時間的な隣接動きベクトルの忠実度のそれぞれの値に応じて、ブロックを復号するための動きベクトルとして、特定の動きベクトル予測子候補をその組から選択することによって予測される。
【誤訳訂正１１】
【訂正対象書類名】明細書
【訂正対象項目名】００１３
【訂正方法】変更
【訂正の内容】
【００１３】
【図１】本原理のある実施形態による、本原理を適用することができる例示的なビデオ符号器を示すブロック図である。
【図２】本原理のある実施形態による、本原理を適用することができる例示的なビデオ復号器を示すブロック図である。
【図３】本原理のある実施形態による、ビデオ符号器における暗示的適応型動きベクトル予測選択の例示的な方法を示す流れ図である。
【図４】本原理のある実施形態による、ビデオ復号器における暗示的適応型動きベクトル予測選択の例示的な方法を示す流れ図である。
【図５】本原理のある実施形態による、ビデオ符号器における暗示的適応型動きベクトル予測子選択の別の例示的な方法を示す流れ図である。
【図６】本原理のある実施形態による、ビデオ復号器における暗示的適応型動きベクトル予測子選択の別の例示的な方法を示す流れ図である。
【図７】本原理のある実施形態による、ビデオ符号器における暗示的適応型動きベクトル予測子選択のさらに別の例示的な方法を示す流れ図である。
【図８】本原理のある実施形態による、ビデオ復号器における暗示的適応型動きベクトル予測子選択のさらに別の例示的な方法を示す流れ図である。
【誤訳訂正１２】
【訂正対象書類名】明細書
【訂正対象項目名】００１４
【訂正方法】変更
【訂正の内容】
【００１４】
本原理は、ビデオ符号化およびビデオ復号化のための暗示的適応型動きベクトル予測子選択の方法および装置を対象とする。
【誤訳訂正１３】
【訂正対象書類名】明細書
【訂正対象項目名】００３９
【訂正方法】変更
【訂正の内容】
【００３９】
上記に述べたように、本原理は、ビデオ符号化およびビデオ復号化のための暗示的適応型動きベクトル予測子選択の方法および装置を対象とする。本原理のある実施形態によれば、動きベクトルは、その空間時間的な隣接動きベクトルの１つによって予測される。選択は、符号器および復号器の両方で利用可能な、対応する動きベクトル候補の動き補償誤差に基づく。したがって、選択は、サイド情報または付加的な情報を符号器から復号器に送ることを必要とせずに、符号器および復号器で既に利用可能な、暗示的な（導出された）データに基づく。したがって、本原理を使用すると、動きベクトル予測子選択のための付加的なコストまたはオーバーヘッドがなく、しかも、本原理は依然として、非常に正確な予測性能を実現する。動きベクトルは、その空間時間的な隣接動きベクトルと予測信頼度の間の相関関係を利用することによって、復号器で導出される。予測信頼度は、推定された動き補償誤差、動きベクトルの大きさ、参照インデックス、または動き情報に関する利用可能な他のパラメータの関数とすることができる。
【誤訳訂正１４】
【訂正対象書類名】明細書
【訂正対象項目名】００４０
【訂正方法】変更
【訂正の内容】
【００４０】
本原理によれば、本発明者らは、それぞれの符号化ブロックの因果的な局所の近隣を定義することによって、隣接動きベクトル間の相関関係を利用する。近隣は、インター符号化ブロックとして符号化される、因果的で空間時間的な隣接ブロックを含む。これらのブロックは既に復号されているので、動きベクトルは符号器および復号器の両方で知られている。これらの動きベクトルは、動きベクトル候補の組を形成する。次の疑問は、符号化ブロックのための動きベクトル予測子を候補の組の中からどのように選択するかである。
【誤訳訂正１５】
【訂正対象書類名】明細書
【訂正対象項目名】００４２
【訂正方法】変更
【訂正の内容】
【００４２】
この関数はＥiの減少関数であるはずであり、これは大きい動き補償誤差が低忠実度をもたらすことを意味する。候補の組の中のそれぞれの動きベクトルは忠実度値を有し、忠実度値は動きベクトル予測子選択のためのサイド情報を暗示的に提供する。
【誤訳訂正１６】
【訂正対象書類名】明細書
【訂正対象項目名】００４３
【訂正方法】変更
【訂正の内容】
【００４３】
候補の忠実度値を取得した後、選択プロセスが行われる。選択を行うために使用される実際の１つまたは複数のパラメータは、様々なパラメータからのものとすることができる。例えば、ある実施形態では、本発明者らは、動きベクトル予測子として、組の中の最も高い忠実度を有する動きベクトルを選択することができる。別の実施形態では、本発明者らは、動きベクトル予測子として、組の中の動きベクトルの加重中央値を使用することができる。ある実施形態では、加重を忠実度値の関数とすることができる。ある実施形態では、本発明者らは、動きベクトル予測子を導出するために、忠実度情報を考慮する加重平均または他の関数を使用することもできる。これらの変形を例示する実施形態が提示される。
【誤訳訂正１７】
【訂正対象書類名】明細書
【訂正対象項目名】００４５
【訂正方法】変更
【訂正の内容】
【００４５】
［実施形態１］    
実施形態１では、動きベクトル予測子選択は、隣接候補の忠実度値によって提供された以前の情報に基づく。現在の符号化ブロックの動きベクトル予測子は、組の中の最も高い忠実度を有する動きベクトルである。
【誤訳訂正１８】
【訂正対象書類名】明細書
【訂正対象項目名】００４６
【訂正方法】変更
【訂正の内容】
【００４６】
図３を参照すると、ビデオ符号器における暗示的適応型動きベクトル予測選択の例示的な方法が、全体的に参照番号３００で示されている。この方法３００は、機能ブロック３１０に制御を渡す開始ブロック３０５を含む。機能ブロック３１０は、異なる分割モードの近隣のサイズを初期化し、機能ブロック３１５に制御を渡す。機能ブロック３１５は、現在の符号化ブロックに対して隣接動きベクトルの組を定義し、機能ブロック３２０に制御を渡す。機能ブロック３２０は、対応するブロックの残差に基づいて組の中のそれぞれの動きベクトルの忠実度を算出し、機能ブロック３２５に制御を渡す。機能ブロック３２５は、現在の符号化ブロックの動きベクトル予測子を選択し（例えば、組の中の最も高い忠実度を有する動きベクトルを選択し）、機能ブロック３３０に制御を渡す。機能ブロック３３０は、動き推定、動き補償、およびエントロピ符号化にこの動きベクトル予測子を使用し、終了ブロック３９９に制御を渡す。
【誤訳訂正１９】
【訂正対象書類名】明細書
【訂正対象項目名】００４７
【訂正方法】変更
【訂正の内容】
【００４７】
図４を参照すると、ビデオ復号器における暗示的適応型動きベクトル予測選択の例示的な方法が、全体的に参照番号４００で示されている。この方法４００は、機能ブロック４１０に制御を渡す開始ブロック４０５を含む。機能ブロック４１０は、入力ビットストリームを構文解析し、機能ブロック４１５に制御を渡す。機能ブロック４１５は、異なる分割モードの近隣のサイズを初期化し、機能ブロック４２０に制御を渡す。機能ブロック４２０は、現在の符号化ブロックに対して隣接動きベクトルの組を定義し、機能ブロック４２５に制御を渡す。機能ブロック４２５は、対応するブロックの残差に基づいて組の中のそれぞれの動きベクトルの忠実度を算出し、機能ブロック４３０に制御を渡す。機能ブロック４３０は、現在の符号化ブロックの動きベクトル予測子を選択し（例えば、組の中の最も高い忠実度を有する動きベクトルを選択し）、機能ブロック４３５に制御を渡す。機能ブロック４３５は、動きベクトル差を復号し、動きベクトル予測子を使用することによって動きベクトルを算出し、終了ブロック４９９に制御を渡す。
【誤訳訂正２０】
【訂正対象書類名】明細書
【訂正対象項目名】００４８
【訂正方法】変更
【訂正の内容】
【００４８】
［実施形態２］    
実施形態２では、動きベクトル候補の忠実度値は、加重中央値フィルタが動きベクトル予測子を導出するために使用される。加重中央値フィルタにおける加重は、フィルタサポート内での値の繰り返し回数を示す。ここでは、フィルタサポートは、ブロックの全ての動きベクトル候補を含む近隣である。動きベクトルの加重がｎである場合、動きベクトルは、中央値フィルタによってフィルタリングされるときにｎ回複製される。実施形態２では、加重はマッピング関数によって忠実度と関連付けられ、マッピング関数は忠実度を動きベクトルの繰り返し回数にマップする。次いで、加重中央値フィルタの出力は、現在の符号化ブロックの動きベクトル予測子と見なされる。
【誤訳訂正２１】
【訂正対象書類名】明細書
【訂正対象項目名】００４９
【訂正方法】変更
【訂正の内容】
【００４９】
図５を参照すると、ビデオ符号器における暗示的適応型動きベクトル予測子選択の別の例示的な方法が、全体的に参照番号５００で示されている。この方法５００は、機能ブロック５１０に制御を渡す開始ブロック５０５を含む。機能ブロック５１０は、異なる分割モードの近隣のサイズを初期化し、機能ブロック５１５に制御を渡す。機能ブロック５１５は、現在の符号化ブロックに対して隣接動きベクトルの組を定義し、機能ブロック５２０に制御を渡す。機能ブロック５２０は、対応するブロックの残差に基づいて組の中のそれぞれの動きベクトルの忠実度を算出し、機能ブロック５２５に制御を渡す。機能ブロック５２５は、忠実度を中央値フィルタの加重にマップし、機能ブロック５３０に制御を渡す。機能ブロック５３０は、現在の符号化ブロックの動きベクトル予測子を取得するために、加重中央値フィルタを動きベクトル予測子候補の組に適用し、機能ブロック５３５に制御を渡す。機能ブロック５３５は、動き推定、動き補償、およびエントロピ符号化に動きベクトル予測子を使用し、終了ブロック５９９に制御を渡す。
【誤訳訂正２２】
【訂正対象書類名】明細書
【訂正対象項目名】００５０
【訂正方法】変更
【訂正の内容】
【００５０】
図６を参照すると、ビデオ復号器における暗示的適応型動きベクトル予測子選択の別の例示的な方法が、全体として参照番号６００で示されている。この方法６００は、機能ブロック６１０に制御を渡す開始ブロック６０５を含む。機能ブロック６１０は、入力ビットストリームを構文解析し、機能ブロック６１５に制御を渡す。機能ブロック６１５は、異なる分割モードの近隣のサイズを初期化し、機能ブロック６２０に制御を渡す。機能ブロック６２０は、現在の符号化ブロックに対して隣接動きベクトルの組を定義し、機能ブロック６２５に制御を渡す。機能ブロック６２５は、対応するブロックの残差に基づいて組の中のそれぞれの動きベクトルの忠実度を算出し、機能ブロック６３０に制御を渡す。機能ブロック６３０は、忠実度を中央値フィルタの加重にマップし、機能ブロック６３５に制御を渡す。機能ブロック６３５は、現在の符号化ブロックの動きベクトル予測子を取得するために、加重中央値フィルタを動きベクトル予測子候補の組に適用し、機能ブロック６４０に制御を渡す。機能ブロック６４０は、動きベクトル差を復号し、動きベクトル予測子を使用することによって動きベクトルを算出し、終了ブロック６９９に制御を渡す。
【誤訳訂正２３】
【訂正対象書類名】明細書
【訂正対象項目名】００５１
【訂正方法】変更
【訂正の内容】
【００５１】
［実施形態３］    
実施形態３では、暗示的な動きベクトル予測子選択を明示的な手法と組み合わせることができる。隣接動きベクトルの忠実度が生成され、事前定義された閾値と比較される。全ての忠実度が閾値より低い場合、レート歪み最適化に基づいて動きベクトル予測子を選択するために、明示的なシグナリング手法が使用される。そうでない場合、暗示的なシグナリング手法が使用される。
【誤訳訂正２４】
【訂正対象書類名】明細書
【訂正対象項目名】００５２
【訂正方法】変更
【訂正の内容】
【００５２】
図７を参照すると、ビデオ符号器における暗示的適応型動きベクトル予測子選択のさらに別の例示的な方法が、全体的に参照番号７００で示されている。この方法７００は、機能ブロック７１０に制御を渡す開始ブロック７０５を含む。機能ブロック７１０は、異なる分割モードの近隣のサイズを初期化し、機能ブロック７１５に制御を渡す。機能ブロック７１５は、現在の符号化ブロックに対して隣接動きベクトルの組を定義し、機能ブロック７２０に制御を渡す。機能ブロック７２０は、対応するブロックの残差に基づいて組の中のそれぞれの動きベクトルの忠実度を算出し、決定ブロック７２５に制御を渡す。決定ブロック７２５は、全ての忠実度が閾値より小さいかどうかを判定する。全ての忠実度が閾値より小さい場合、制御は機能ブロック７３０に渡される。そうでない場合、制御は機能ブロック７４０に渡される。機能ブロック７３０は、レート歪み最適化に基づいて明示的な動きベクトル予測子シグナリング手法を使用し、機能ブロック７３５に制御を渡す。機能ブロック７４０は、忠実度に基づいて暗示的な動きベクトル予測子選択手法を使用し、機能ブロック７３５に制御を渡す。機能ブロック７３５は、動き推定、動き補償、およびエントロピ符号化にこの動きベクトル予測子を使用し、終了ブロック７９９に制御を渡す。
【誤訳訂正２５】
【訂正対象書類名】明細書
【訂正対象項目名】００５３
【訂正方法】変更
【訂正の内容】
【００５３】
図８を参照すると、ビデオ復号器における暗示的適応型動きベクトル予測子選択のさらにまた別の例示的な方法が、全体的に参照番号８００で示されている。この方法８００は、機能ブロック８１０に制御を渡す開始ブロック８０５を含む。機能ブロック８１０は、入力ビットストリームを構文解析し、機能ブロック８１５に制御を渡す。機能ブロック８１５は、異なる分割モードの近隣のサイズを初期化し、機能ブロック８２０に制御を渡す。機能ブロック８２０は、現在の符号化ブロックに対して隣接動きベクトルの組を定義し、機能ブロック８２５に制御を渡す。機能ブロック８２５は、対応するブロックの残差に基づいて組の中のそれぞれの動きベクトルの忠実度を算出し、決定ブロック８３０に制御を渡す。決定ブロック８３０は、全ての忠実度が閾値より小さいかどうかを判定する。全ての忠実度が閾値より小さい場合、制御は機能ブロック８３５に渡される。そうでない場合、制御は機能ブロック８４０に渡される。機能ブロック８３５は、動きベクトルインデックスを復号し、機能ブロック８４０に制御を渡す。機能ブロック８４５は、忠実度に基づいて暗示的な動きベクトル予測子選択手法を使用し、機能ブロック８４０に制御を渡す。機能ブロック８４０は、動きベクトル差を復号し、動きベクトル予測子を使用することによって動きベクトルを算出し、終了ブロック８９９に制御を渡す。
【誤訳訂正２６】
【訂正対象書類名】明細書
【訂正対象項目名】００５７
【訂正方法】変更
【訂正の内容】
【００５７】
ｕｓｅ＿ｉｍｐｌｉｃｉｔ＿ｍｖｐ＿ｓｉｇｎａｌｉｎｇは、暗示的な動きベクトル予測子選択が使用されるかどうかを指定する。１に等しいｕｓｅ＿ｉｍｐｌｉｃｉｔ＿ｍｖｐ＿ｓｉｇｎａｌｉｎｇは、暗示的な動きベクトル予測選択が使用されることを意味し、０に等しいｕｓｅ＿ｉｍｐｌｉｃｉｔ＿ｍｖｐ＿ｓｉｇｎａｌｉｎｇは、暗示的な動きベクトル予測選択が使用されないことを意味する。
【誤訳訂正２７】
【訂正対象書類名】明細書
【訂正対象項目名】００５８
【訂正方法】変更
【訂正の内容】
【００５８】
ｍｖｐ＿ｉｎｄｅｘは、候補の組の中で動きベクトル予測子として選択された動きベクトルのインデックスを指定する。
【誤訳訂正２８】
【訂正対象書類名】明細書
【訂正対象項目名】００５９
【訂正方法】変更
【訂正の内容】
【００５９】
次に、本発明の多くの付随的な利点／特徴のいくつかについて説明するが、そのうちのいくつかは上記に述べられている。例えば、１つの利点／特徴は、暗示的適応型動きベクトル予測子選択を使用して、ピクチャ内の少なくとも１つのブロックを符号化するためのビデオ符号器を有する装置であって、ブロックを符号化するための動きベクトルは、複数の空間時間的な隣接動きベクトルに基づいて、ブロックに対して１組の動きベクトル予測子候補を定義し、空間時間的な隣接動きベクトルの忠実度のそれぞれの値に応じて、ブロックを符号化するための動きベクトルとして、特定の動きベクトル予測子候補をその組から選択することによって予測される。
【誤訳訂正２９】
【訂正対象書類名】明細書
【訂正対象項目名】００６１
【訂正方法】変更
【訂正の内容】
【００６１】
さらに別の利点／特徴は、上述のビデオ符号器を有する装置であって、ブロックを符号化するための動きベクトルとして選択された特定の動きベクトル予測子候補は、組の中の動きベクトル予測子候補の中で最も高い忠実度を有する。
【誤訳訂正３０】
【訂正対象書類名】明細書
【訂正対象項目名】００６２
【訂正方法】変更
【訂正の内容】
【００６２】
さらにまた別の利点／特徴は、上述のビデオ符号器を有する装置であって、空間時間的な隣接動きベクトルの忠実度のそれぞれの値は、加重中央値フィルタが、ブロックを符号化するための動きベクトルとして選択された特定の動きベクトル予測子候補を導出するために使用される。
【誤訳訂正３１】
【訂正対象書類名】明細書
【訂正対象項目名】００６３
【訂正方法】変更
【訂正の内容】
【００６３】
さらに、別の利点／特徴は、上述のビデオ符号器を有する装置であって、暗示的適応型動きベクトル予測子選択は、ハイブリッドシナリオにおいて、動きベクトル予測子の明示的なシグナリングと組み合わされる。
【誤訳訂正３２】
【訂正対象書類名】明細書
【訂正対象項目名】００６４
【訂正方法】変更
【訂正の内容】
【００６４】
さらに、別の利点／特徴は、ビデオ符号器を有する装置であって、暗示的適応型動きベクトル予測子選択は、上述のハイブリッドシナリオにおいて、動きベクトル予測子の明示的なシグナリングと組み合わされ、ブロックに対して暗示的適応型動きベクトル予測子選択を使用するか、動きベクトル予測子の明示的なシグナリングを使用するかの決定は、忠実度値の評価に応じて判定される。
【誤訳訂正３３】
【訂正対象書類名】明細書
【訂正対象項目名】００６５
【訂正方法】変更
【訂正の内容】
【００６５】
また、別の利点／特徴は、ビデオ符号器を有する装置であって、暗示的適応型動きベクトル予測子選択は、上述のハイブリッドシナリオにおいて、動きベクトル予測子の明示的なシグナリングと組み合わされ、動きベクトル予測子の明示的なシグナリングは、スライスレベルで使用され、ブロックに対して暗示的適応型動きベクトル予測子選択を使用するか、動きベクトル予測子の明示的なシグナリングを使用するかの決定は、ブロックレベルで行われる。
【誤訳訂正３４】
【訂正対象書類名】明細書
【訂正対象項目名】００６９
【訂正方法】変更
【訂正の内容】
【００６９】
例示的な実施形態について、添付の図面を参照しながら本明細書で説明してきたが、本原理はこれらの明確な実施形態に限定されないこと、また、本原理の範囲または趣旨から逸脱することなく、関連する技術分野の当業者によって、その中で様々な変更形態および修正形態を実施することができることを理解されたい。全てのそのような変更形態および修正形態は、添付の特許請求の範囲に記載されているように、本原理の範囲内に含まれることを意図する。
（付記１）
暗示的適応型動きベクトル予測子選択を使用して、画像のブロックを符号化するためのビデオ符号器（１００）を備える装置であって、前記ブロックを符号化するための動きベクトルは、複数の空間時間的な隣接動きベクトルに基づいて、前記ブロックに対して１組の動きベクトル予測子候補を定義し、前記空間時間的な隣接動きベクトルの忠実度のそれぞれの値に応じて、前記ブロックを符号化するための前記動きベクトルとして、特定の動きベクトル予測子候補を前記組から選択することによって予測される、前記装置。
（付記２）
前記忠実度は、前記符号器および対応する復号器の両方で利用可能な、動き補償誤差、動きベクトルの大きさ、および参照インデックスのうちの少なくとも１つの関数である、付記１に記載の装置。
（付記３）
前記ブロックを符号化するための前記動きベクトルとして選択された前記特定の動きベクトル予測子候補は、前記組の中の前記動きベクトル予測子候補の中で最も高い忠実度を有する、付記１に記載の装置。
（付記４）
前記空間時間的な隣接動きベクトルの前記忠実度の前記それぞれの値は、加重中央値フィルタが、前記ブロックを符号化するための前記動きベクトルとして選択された前記特定の動きベクトル予測子候補を導出するために使用される、付記１に記載の装置。
（付記５）
前記暗示的適応型動きベクトル予測子選択は、ハイブリッドシナリオにおいて、動きベクトル予測子の明示的なシグナリングと組み合わされる、付記１に記載の装置。
（付記６）
前記ブロックに対して前記暗示的適応型動きベクトル予測子選択を使用するか、動きベクトル予測子の前記明示的なシグナリングを使用するかの決定は、忠実度値の評価に応じて判定される、付記５に記載の装置。
（付記７）
動きベクトル予測子の前記明示的なシグナリングは、スライスレベルで使用され、前記ブロックに対して前記暗示的適応型動きベクトル予測子選択を使用するか、動きベクトル予測子の前記明示的なシグナリングを使用するかの前記決定は、ブロックレベルで行われる、付記５に記載の装置。
（付記８）
ビデオ符号器において、
暗示的適応型動きベクトル予測子選択を使用して、画像のブロックを符号化するステップを含む方法であって、前記ブロックを符号化するための動きベクトルは、複数の空間時間的な隣接動きベクトルに基づいて、前記ブロックに対して１組の動きベクトル予測子候補を定義し（３１５、５１５、７１５）、前記空間時間的な隣接動きベクトルの忠実度のそれぞれの値に応じて（３２０、５２０、７２０）、前記ブロックを符号化するための前記動きベクトルとして、特定の動きベクトル予測子候補を前記組から選択する（３２５、５３０、７４０）ことによって予測される、前記方法。
（付記９）
前記忠実度は、前記符号器および対応する復号器の両方で利用可能な、動き補償誤差、動きベクトルの大きさ、および参照インデックスのうちの少なくとも１つの関数である（３２０、５２０、７２０）、付記８に記載の方法。
（付記１０）
前記ブロックを符号化するための前記動きベクトルとして選択された前記特定の動きベクトル予測子候補は、前記組の中の前記動きベクトル予測子候補の中で最も高い忠実度を有する（３２５）、付記８に記載の方法。
（付記１１）
前記空間時間的な隣接動きベクトルの前記忠実度の前記それぞれの値は、加重中央値フィルタが、前記ブロックを符号化するための前記動きベクトルとして選択された前記特定の動きベクトル予測子候補を導出するために使用される（５２５、５３０）、付記８に記載の方法。
（付記１２）
前記暗示的適応型動きベクトル予測子選択は、ハイブリッドシナリオにおいて、動きベクトル予測子の明示的なシグナリングと組み合わされる（７００）、付記８に記載の方法。
（付記１３）
前記ブロックに対して前記暗示的適応型動きベクトル予測子選択を使用するか、動きベクトル予測子の前記明示的なシグナリングを使用するかの決定は、忠実度値の評価に応じて判定される（７２５）、付記１２に記載の方法。
（付記１４）
動きベクトル予測子の前記明示的なシグナリングは、スライスレベルで使用され、前記ブロックに対して前記暗示的適応型動きベクトル予測子選択を使用するか、動きベクトル予測子の前記明示的なシグナリングを使用するかの前記決定は、ブロックレベルで行われる（７００）、付記１２に記載の方法。
（付記１５）
暗示的適応型動きベクトル予測子選択を使用して、画像のブロックを復号するためのビデオ復号器（２００）を備える装置であって、前記ブロックを復号するための動きベクトルは、複数の空間時間的な隣接動きベクトルに基づいて、前記ブロックに対して１組の動きベクトル予測子候補を定義し、前記空間時間的な隣接動きベクトルの忠実度のそれぞれの値に応じて、前記ブロックを復号するための前記動きベクトルとして、特定の動きベクトル予測子候補を前記組から選択することによって予測される、前記装置。
（付記１６）
前記忠実度は、前記復号器および対応する符号器の両方で利用可能な、動き補償誤差、動きベクトルの大きさ、および参照インデックスのうちの少なくとも１つの関数である、付記１５に記載の装置。
（付記１７）
前記ブロックを復号するための前記動きベクトルとして選択された前記特定の動きベクトル予測子候補は、前記組の中の前記動きベクトル予測子候補の中で最も高い忠実度を有する、付記１５に記載の装置。
（付記１８）
前記空間時間的な隣接動きベクトルの前記忠実度の前記それぞれの値は、加重中央値フィルタが、前記ブロックを復号するための前記動きベクトルとして選択された前記特定の動きベクトル予測子候補を導出するために使用される、付記１５に記載の装置。
（付記１９）
前記暗示的適応型動きベクトル予測子選択は、ハイブリッドシナリオにおいて、動きベクトル予測子の明示的なシグナリングと組み合わされる、付記１５に記載の装置。
（付記２０）
前記ブロックに対して前記暗示的適応型動きベクトル予測子選択を使用するか、動きベクトル予測子の前記明示的なシグナリングを使用するかの決定は、忠実度値の評価に応じて判定される、付記１９に記載の装置。
（付記２１）
動きベクトル予測子の前記明示的なシグナリングは、スライスレベルで使用され、前記ブロックに対して前記暗示的適応型動きベクトル予測子選択を使用するか、動きベクトル予測子の前記明示的なシグナリングを使用するかの前記決定は、ブロックレベルで行われる、付記１９に記載の装置。
（付記２２）
ビデオ復号器において、
暗示的適応型動きベクトル予測子選択を使用して、画像のブロックを復号するステップを含む方法であって、前記ブロックを復号するための動きベクトルは、複数の空間時間的な隣接動きベクトルに基づいて、前記ブロックに対して１組の動きベクトル予測子候補を定義し（４２０、６２０、８２０）、前記空間時間的な隣接動きベクトルの忠実度のそれぞれの値に応じて（４２５、６２５、８２５）、前記ブロックを復号するための前記動きベクトルとして、特定の動きベクトル予測子候補を前記組から選択する（４３０、６３５、８４５）ことによって予測される、前記方法。
（付記２３）
前記忠実度は、前記復号器および対応する符号器の両方で利用可能な、動き補償誤差、動きベクトルの大きさ、および参照インデックスのうちの少なくとも１つの関数である（４２５、６２５、８２５）、付記２２に記載の方法。
（付記２４）
前記ブロックを復号するための前記動きベクトルとして選択された前記特定の動きベクトル予測子候補は、前記組の中の前記動きベクトル予測子候補の中で最も高い忠実度を有する（４３０）、付記２２に記載の方法。
（付記２５）
前記空間時間的な隣接動きベクトルの前記忠実度の前記それぞれの値は、加重中央値フィルタが、前記ブロックを復号するための前記動きベクトルとして選択された前記特定の動きベクトル予測子候補を導出するために使用される（６３０、６３５）、付記２２に記載の方法。
（付記２６）
前記暗示的適応型動きベクトル予測子選択は、ハイブリッドシナリオにおいて、動きベクトル予測子の明示的なシグナリングと組み合わされる（８００）、付記２２に記載の方法。
（付記２７）
前記ブロックに対して前記暗示的適応型動きベクトル予測子選択を使用するか、動きベクトル予測子の前記明示的なシグナリングを使用するかの決定は、忠実度値の評価に応じて判定される（８３０）、付記２６に記載の方法。
（付記２８）
動きベクトル予測子の前記明示的なシグナリングは、スライスレベルで使用され、前記ブロックに対して前記暗示的適応型動きベクトル予測子選択を使用するか、動きベクトル予測子の前記明示的なシグナリングを使用するかの前記決定は、ブロックレベルで行われる（８００）、付記２６に記載の方法。
（付記２９）
符号化されたビデオ信号データを有する非一時的なコンピュータ可読記憶媒体であって、
暗示的適応型動きベクトル予測子選択を使用して符号化された画像のブロックの圧縮されたデータを備え、前記ブロックを符号化するための動きベクトルは、複数の空間時間的な隣接動きベクトルに基づいて、前記ブロックに対して１組の動きベクトル予測子候補を定義し、特定の動きベクトル予測子候補の、前記ビデオ符号器および対応する復号器の両方で利用可能な動き補償誤差に基づいて、前記ブロックを符号化するための前記動きベクトルとして、前記特定の動きベクトル予測子候補を前記組から選択することによって予測される、前記非一時的なコンピュータ可読記憶媒体。
【誤訳訂正３５】
【訂正対象書類名】図面
【訂正対象項目名】図３
【訂正方法】変更
【訂正の内容】
【図３】
2013523010.tif 000001
【誤訳訂正３６】
【訂正対象書類名】図面
【訂正対象項目名】図４
【訂正方法】変更
【訂正の内容】
【図４】
2013523010.tif 000002
【誤訳訂正３７】
【訂正対象書類名】図面
【訂正対象項目名】図５
【訂正方法】変更
【訂正の内容】
【図５】
2013523010.tif 000003
【誤訳訂正３８】
【訂正対象書類名】図面
【訂正対象項目名】図６
【訂正方法】変更
【訂正の内容】
【図６】
2013523010.tif 000004
【誤訳訂正３９】
【訂正対象書類名】図面
【訂正対象項目名】図７
【訂正方法】変更
【訂正の内容】
【図７】
2013523010.tif 000005
【誤訳訂正４０】
【訂正対象書類名】図面
【訂正対象項目名】図８
【訂正方法】変更
【訂正の内容】
【図８】
2013523010.tif 000006